(57)【要約】【課題】  本発明は、表示板の裏面側にレンズカット部が部分的に配置されたとしても印刷層を簡単に印刷形成することができる計器装置を提供すること。【解決手段】  車両の計測量を表示する第１表示部５と車両の状態を知らせるための第２表示部７とを施してなる透光性の表示板３と、表示板３の背後に配置され、第１表示部５を透過照明するための光源８と、表示板３の背後に配置され、第２表示部７を取り巻くように区画した遮光室９と、遮光室９の下方に設けられた光源６と、からなる計器装置において、表示板３には、第２表示部７に位置する表示板３の背面側に設けられた凹凸によるレンズカット部１１と、表示板３の裏面側に設けられた印刷部１２とを備え、レンズカット部１１の頂点位置を表示板３の裏面と同一あるいは裏面より奥まった位置に設定してなることを特徴とする計器装置である。【選択図】  図２
2010216971.tif 000002
【特許請求の範囲】
【請求項１】
車両の計測量を表示する第１表示部と車両の状態を知らせるための第２表示部とを施してなる透光性の合成樹脂製基板からなる表示板と、前記表示板の背後に配置され、前記第１表示部を透過照明するための第１表示部用光源と、前記表示板の背後に配置され、前記第２表示部を取り巻くように略筒状に区画した遮光室と、前記遮光室の下方にそれぞれ設けられた第２表示部用光源と、からなる計器装置において、前記表示板には、前記遮光室によって区画された前記第２表示部に位置する前記基板の背面側に設けられた凹凸によるレンズカット部と、前記表示板の裏面側に設けられた印刷部とを備え、前記レンズカット部の頂点位置を前記表示板の裏面と同一あるいは裏面より奥まった位置に設定してなることを特徴とする計器装置。
【請求項２】
前記印刷部は、前記第１表示部の透過率を調整するために透過光量調整用印刷層として前記表示板の裏面に施してなることを特徴とする請求項１に記載の計器装置。
【請求項３】
前記印刷部は、前記遮光室の周囲を取り巻くように遮光印刷層として前記表示板の裏面に施してなることを特徴とする請求項１に記載の計器装置。
【請求項４】
前記遮光室と突き合わせ配設される前記表示板の裏面箇所は、前記表示板の板厚が薄くなるように肉薄部として形成してなることを特徴とする請求項１から請求項３のいずれかに記載の計器装置。
【発明の詳細な説明】
【技術分野】
【０００１】
本発明は、たとえば建設機械などの特殊車両や船舶、あるいは自動車、オートバイなどの車両などの計器装置に関するものである。
【背景技術】
【０００２】
この種の計器装置としては、たとえばオートバイなどの車両に装備される各種走行情報を表示する計器装置の一般的な構成として、たとえば下記特許文献１に記載されているものが知られている。この種の計器装置は、図示はしないが、計器装置のケース内には、速度計や燃料計などの車両の運転状況を指針によって指示する指示計器が収納され、このような指針によるアナログ的に指示する指示計器として、その計器本体の前面側に表示板を取り付け固定し、計器本体に形成された指針の指示を前記表示板の表面に設けた目盛や数値などの表示部と対比して読み取るようにした指示計器であったり、あるいは図示しないが液晶表示装置などからなるデジタル表示やバーグラフ表示にて指示するディスプレイ表示による指示計器をケース内に収納固定している。
【０００３】
またケースの内部には、エンジンの油圧の状態、ライトの点灯状態、エンジンオイルのレベルの状態、あるいは燃料残量表示やギヤポジション表示などの各種車両状態を光源となるＬＥＤやランプなどを点灯させて知らせる表示装置が設けられており、この場合、前記車両などの状態を知らせる表示項目数と同数に各々区画して光源から照射光線が外部へと洩れ出ないように隔絶し、表示板の表面側へと光線を案内する筒状からなる複数個からなる遮光室を設け、この遮光室の前面側に設けた絵表示や文字などからなる表示部を照明表示するようにしている。
【０００４】
このように指示計器と各種情報を表示する表示装置の表示情報を集中して読み取ることができるものであり、判読しやすい計器装置を提供することができるという効果がある。
【先行技術文献】
【特許文献】
【０００５】
【特許文献１】特開２００２−２３６６９号公報
【発明の概要】
【発明が解決しようとする課題】
【０００６】
ところで、上記特許文献１などにおいては、特に表示用の透光性基板の背面側に凹凸からなるレンズカット部（光拡散部）を設けることによって見やすく見映えもよくなるという反面、凹凸によるレンズカット部が基板の裏面側から突出すると、その突出したレンズカット部以外の表示板の裏面箇所に、たとえば指示計器の表示部箇所を均一的に透過照明するために、光源からの照射光線が強い箇所に対応する表示板の裏面側に光量調整用印刷を施そうとした場合、レンズカット部が表示板の基板の裏面から部分的に突出した箇所が邪魔となってしまい、印刷を施す上で制約を受けてしまうという問題がある。
【０００７】
従って、このような問題を解決するために印刷という手段を用いることなく塗装によって塗膜部を透光性基板の背面に形成したり、ホットスタンプなどの手段によって遮光層を施すようにしているため、簡単な手段である印刷という手段を用いることができないことがある。
【０００８】
本発明は前述した問題点に着目し、表示板の裏面側にレンズカット部が部分的に配置されたとしても印刷層を簡単に印刷形成することができる計器装置を提供することを目的とするものである。
【課題を解決するための手段】
【０００９】
本発明は、前記目的を達成するため、車両の計測量を表示する第１表示部と車両の状態を知らせるための第２表示部とを施してなる透光性の合成樹脂製基板からなる表示板と、前記表示板の背後に配置され、前記第１表示部を透過照明するための第１表示部用光源と、前記表示板の背後に配置され、前記第２表示部を取り巻くように略筒状に区画した遮光室と、前記遮光室の下方にそれぞれ設けられた第２表示部用光源と、からなる計器装置において、前記表示板には、前記遮光室によって区画された前記第２表示部に位置する前記表示板の背面側に設けられた凹凸によるレンズカット部と、前記表示板の裏面側に設けられた印刷部とを備え、前記レンズカット部の頂点位置を前記表示板の裏面と同一あるいは裏面より奥まった位置に設定してなることを特徴とする計器装置である。
【００１０】
このように構成することにより、表示板の裏面側に突出する箇所が存在しなくなったため、従来のような塗装などの煩わしい手段によって塗膜部を施す必要もなく、表示板の裏面の所定箇所に印刷部を簡単に施すことができる。
【００１１】
また請求項１に記載の計器装置において、請求項２では、前記印刷部は、前記第１表示部の透過率を調整するために透過光量調整用印刷層として前記表示板の裏面に施してなることを特徴とするものである。
【００１２】
このように構成することにより、表示板に車両の計測量を表示する目盛や文字などからなる第１表示部の透過照明において、表示板の裏面に透過光量調整用印刷層を簡単に印刷することができ、光源に近い側が部分的に明るくなってしまうという問題を解決でき、均一的な照明効果を得ることが可能となる。
【００１３】
また請求項１に記載の計器装置において、請求項３では、前記印刷部は、前記遮光室の周囲を取り巻くように遮光印刷層として前記表示板の裏面に施してなることを特徴とするものである。
【００１４】
このように構成することにより、表示板に設けた車両の状態を知らせるための第２表示部箇所は、指示計器の第１表示部を透過照明するための第１表示部用光源からの照射光線が、遮光室の回りを取り巻くように遮光印刷層によって遮られるため、第２表示部箇所の疑似点灯という不具合を解消することができる。
【００１５】
また請求項１から請求項３に記載の計器装置において、請求項４では、前記遮光室と突き合わせ配設される前記表示板の裏面箇所は、前記表示板の板厚が薄くなるように肉薄部として形成してなることを特徴とするものである。
【００１６】
このように構成することにより、表示板に設けた車両の状態を知らせるための第２表示部箇所は、指示計器の第１表示部を透過照明するための第１表示部用光源からの照射光線が、遮光室と突き合わせ配設された表示板の板厚が薄くなるように肉薄部にて形成されているため、表示板の肉薄部箇所の媒質内を反射導光する光量が減衰することにより、第２表示部箇所へと光が届かなくなり、第２表示部箇所の疑似点灯を未然に解消することができる。また、車両の状態を知らせるための第２表示部を第２表示部照明用光源の点灯によって明るく照らす際において、遮光室と対面する表示板の肉薄部によって遮光室の外部側へと洩れ出る光を抑制することができるため、遮光室の回りが部分的に明るくなってしまうことを未然に防ぐことができるものであり、これにより、第２表示部のみを表面側にて照明表示することができ、判別もしやすい表示装置を提供することができるものであり、指示計器と表示装置の照明効果を良好にそれぞれ照らし出すことができるという効果がある。
【発明の効果】
【００１７】
本発明では、車両の計測量を表示する第１表示部と車両の状態を知らせるための第２表示部とを施してなる透光性の合成樹脂製基板からなる表示板と、前記表示板の背後に配置され、前記第１表示部を透過照明するための第１表示部用光源と、前記表示板の背後に配置され、前記第２表示部を取り巻くように略筒状に区画した遮光室と、前記遮光室の下方にそれぞれ設けられた第２表示部用光源と、からなる計器装置において、前記表示板には、前記遮光室によって区画された前記第２表示部に位置する前記表示板の背面側に設けられた凹凸によるレンズカット部と、前記表示板の裏面側に設けられた印刷部とを備え、前記レンズカット部の頂点位置を前記表示板の裏面と同一あるいは裏面より奥まった位置に設定してなることを特徴とする計器装置であるため、表示板の裏面側に突出する箇所が存在しなくなったため、従来のような塗装などの煩わしい手段によって塗膜部を施す必要もなく、表示板の裏面の所定箇所に印刷部を簡単に施すことができる。
【図面の簡単な説明】
【００１８】
【図１】図１は、本発明の第１の実施形態である計器装置を示す正面図。
【図２】図２は、図１のＡ−Ａ線箇所の要部を示す計器装置の断面図。
【図３】図３は、図２の要部を示す拡大断面図。
【発明を実施するための形態】
【００１９】
図１から図３は本発明の第１の実施形態を示すもので、以下、これらに基づいて本発明の実施形態をたとえばオートバイに搭載される計器装置に適用した場合について説明する。
【００２０】
図１から図３において、計器装置の計器ケース１内には、車両の運転状況を指示する速度計や燃料計などの指示計器Ｍが収納され、指示計器Ｍの計器本体２の前面側に透光性の合成樹脂製基板からなる表示板３が取り付け固定されるとともに、計器本体２の指針軸の上端に取り付けられた指針４の指示を前記表示板３の表面に設けられた目盛や数値などからなる表示部５（第１表示部）と対比して読み取るように構成している。
【００２１】
また前記計器装置に装備されるこの実施形態における表示装置Ｄとしては、ライトの点灯状態、方向指示器の表示状態、あるいはギヤポジション位置の表示などの各種車両状態を表示灯からなる光源６（第２表示部用光源）を点灯させて知らせる表示部７（第２表示部）がそれぞれ設けられている。
【００２２】
この実施形態における表示板３の表面には、目盛や数値などからなる表示部５（第１表示部）箇所が透過可能な表示層５ａによって印刷形成され、この表示層５ａからなる目盛や数値などの表示部５（第１表示部）箇所および各種車両状態を知らせるための表示部７（第２表示部）箇所を除く表面全体に地色部からなる遮光層３ａが抜き印刷して設けられている。また、各種車両状態を知らせるための表示部７（第２表示部）は、表示板３の表面に表示項目数に合わせて、かつその表示領域に透過可能な着色層７ａが印刷によって形成されている。なお、この実施例にあっては着色層７ａの表面部分に図形化した絵表示や文字などの指標部７ｂが重ねて印刷されている。
【００２３】
また透光性の合成樹脂製基板である表示板３の背面側において、指示計器Ｍの目盛や数値などによる表示層５ａからなる表示部５（第１表示部）を透過照明するための光源８（第１表示部用光源）が配設されている。
【００２４】
また計器装置に装備される実施形態における表示装置Ｄとしては、表示用としての光源６の光線が漏れることを防ぐために、そして光源６の照射光線を表示部７へと案内可能とする光案内用としての筒状に形成した遮光室９が計器ケース１から一体に形成され、その筒状の遮光室９の上端面を表示板３の裏面部分に突き合わせて配設している。なお、場合によっては、計器ケース１とは別体にして遮光室９を設けても良いものであり、個別に設けられた遮光室９は下側の計器ケース１と表示板３との間に配置される。
【００２５】
また、それぞれ区画された複数個からなる遮光室９の位置に対応した表示板３の裏面側には、遮光室９と突き合わせ配設される表示板３の裏面箇所は、表示板３の板厚が薄くなるように肉薄部１０が形成されている。この肉薄部１０によって表示板３の肉薄部１０箇所の媒質内を介して表示板３内に入光した光線が反射導光する光量を減衰することができるように設けている。
【００２６】
また、それぞれ区画された複数個からなる遮光室９の位置に対応した表示板３の裏面側には、凹凸によるレンズカット部１１が設けられ、このレンズカット部１１の凸部の頂点位置が表示板３の裏面と同一面か、あるいは裏面より奥まった位置に配置されるように設定している。
【００２７】
また、表示板３の裏面側に位置した遮光室９と対向する領域外において、印刷部１２が形成されている。この実施例にあっては、印刷部１２として、たとえば黒色からなる遮光性のマスキング印刷層１２ａ（遮光印刷層）が遮光室９の周囲を取り巻くように印刷形成されている。
【００２８】
また、指示計器Ｍ側では、車両の計測量を表示する目盛や文字などからなる表示部５箇所の透過照明の光量が均一的に透過するように、表示板３の裏面に印刷部１２が施されるが、この場合、透過率を調整するために透過光量調整用印刷層１２ｂとして、たとえば、灰色からなる半透過の印刷層が表示板３の裏面に施されている。また、この実施形態においては、半透過の印刷層からなる透過光量調整用印刷層１２ｂを表示板３の裏面に形成していたが、遮光性の印刷層を用いて網点による印刷や格子状の形状からなる印刷などによって透過光量を調整するようにしても良い。
【００２９】
このように構成された第１の実施形態における計器装置にあっては、凹凸からなるレンズカット部１１の凸部の頂点位置が表示板３の裏面と同一面か、あるいは裏面より奥まった位置に配置されるように設定されているため、表示板３の裏面側に突出するレンズカット部１１の箇所が存在しなくなったため、従来のような塗装などの煩わしい手段によって表示層を施す必要もなく、表示板３の裏面の所定箇所に印刷部１２を簡単に施すことができる。また、レンズカット部１１によって表示板３に設けられた表示部７箇所は、光源６からの光線が屈折・反射あるいは拡散・集光してきらきらと輝き表示板３の前面側から良好に判読することができる。
【００３０】
また、表示板３に車両の計測量を表示する目盛や文字などからなる表示部５の透過照明時において、表示板３の裏面側に突出するレンズカット部１１の箇所が存在しなくなったため、表示板３の裏面に印刷部１２である透過光量調整用印刷層１２ｂを簡単に印刷することができ、光源８に近い側が部分的に明るくなってしまうという問題を解決でき、均一的な照明効果を得ることが可能となる。また、遮光室９の周囲を取り巻くように印刷部１２である遮光印刷層１２ａとして表示板３の裏面に施してなることにより、表示板３に設けた車両の状態を知らせるための表示部７箇所は、指示計器Ｍの表示部５を透過照明するための光源８からの照射光線が、遮光室９の回りを取り巻くように遮光性のマスキング印刷層１２ａによって遮られるため、表示部７箇所の疑似点灯という不具合を解消することができる。
【００３１】
また、表示板３に設けた車両の状態を知らせるための表示部７箇所は、指示計器Ｍの表示部５を透過照明するための光源８からの照射光線が、遮光室９と突き合わせ配設された表示板３の板厚が薄くなるように肉薄部１０にて形成されているため、表示板３の肉薄部１０箇所の媒質内を反射導光する光量が減衰することにより、表示部７箇所へと光が届かなくなり、表示部７箇所の疑似点灯を未然に解消することができる。
【００３２】
また、車両の状態を知らせるための表示部７を光源６の点灯によって明るく照らす際において、遮光室９と対面する表示板３の肉薄部１０によって遮光室９の外部側へと洩れ出る光を抑制することができるため、遮光部９の回りが部分的に明るくなってしまうことを未然に防ぐことができるものであり、これにより、表示部７のみを表面側にて照明表示することができ、判別もしやすい表示装置を提供することができるものであり、指示計器Ｍと表示装置Ｄの照明効果を良好にそれぞれ照らし出すことができるという効果がある。
【００３３】
なお、前述した第１の実施形態にあっては、表示板３として、合成樹脂製の透明な基板を用いて成形していたが、表示板３を所定の色合い、たとえばブラウン系の色合いにて着色成形してなることにより、外光などが差し込んだとしても内部に設置された光源７からの照明光によって見やすく表示板３の表示部７領域を照らし出すことが可能となり、また表示板３の裏面側に設けられた凹凸によるレンズカット部１１の形態などが光源６の消灯時において着色された色合いにて薄暗く奥まった位置にて見えるものとなり、光源６の点灯時においてレンズカット部１１を照明光によって明るく照らし出すことができる。また、光源６，８として実施例では白熱電球からなる光源６，８を用いていたが、発光ダイオードなどの光源を用いても良いものであり、また光源６、８の照明色としては、たとえば白色光や青色光などを発するチップ型発光ダイオードを適用して配置することにより、所定の色合いにて透過照明することも可能である。
【産業上の利用可能性】
【００３４】
また、前述した実施形態においては、その適用例として車両用計器やオートバイなどの計器装置を例にして説明したが、車両用の指示計器に限らず船舶用の計器装置あるいは農業用機械や建設機械などの特殊車両の計器装置などにおいても適用することが可能である。
【符号の説明】
【００３５】
１    計器ケース
２    計器本体
３    表示板
４    指針
５    表示部（第１表示部）
５ａ    表示層
６    光源（第２表示部用光源）
７    表示部（第２表示部）
７ａ    着色層
７ｂ    指標部
８    光源（第１表示部用光源）
９    遮光室
１０    肉薄部
１１    レンズカット部
１２    印刷部
１２ａ    マスキング印刷層（遮光印刷層）
１２ｂ    透過光量調整用印刷層
Ｄ    表示装置
Ｍ    指示計器
【図１】
2010216971.tif 000003
【図２】
2010216971.tif 000004
【図３】
2010216971.tif 000005